(57)【要約】      （修正有）【課題】ＤＱＰＳＫ変調された光信号を復調する光受信器において、１ビット遅延回路を空間光学系で構成し、差動出力光の光路長差が無く、かつ同じ方向に出力可能であり、さらに空間光学系の大きさを小型化した光受信器を提供する。【解決手段】第１の干渉計（主として第１ビームスプリッター）の周囲に、差動出力光の出射方向を同じにし、光路長の差をゼロにする第１の光路補正手段を設け、次に、第１の干渉計（第１の光路補正手段を含む）の周囲に第２の干渉計（主として第２ビームスプリッター）を配置する。さらに、第２の干渉計の周囲に、差動出力光の出射方向を同じにし、光路長の差をゼロにする第２の光路補正手段を設ける。また、第２の干渉計においては、第１の干渉計に組み込まれた第１ビームスプリッターで２つに分岐した光波を、第２の干渉計を構成する第２ビームスプリッターで合波し干渉させ、差動出力光を発生させるよう構成している。【選択図】図５
2013078034.tif 000002
【特許請求の範囲】
【請求項１】
ＤＱＰＳＫ変調された光信号を多レベルの位相変調信号に復調する光受信器において、
光信号をＩ成分用とＱ成分用に対応する二つの光波Ａ及びＢに分岐する分岐手段と、
１つの第１ビームスプリッター（ＢＳ１）と２つの第１折り返し反射手段（Ｍ１１，Ｍ１２）により構成される第１の干渉計であり、該第１の干渉計では、該第１ビームスプリッター（ＢＳ１）により該光波Ａを２つの光波Ａ１及びＡ２に分岐し、該第１ビームスプリッター（ＢＳ１）と該第１折り返し反射手段（Ｍ１１，Ｍ１２）により前記２つの光波Ａ１及びＡ２の間に１ビット分の遅延を発生させて合波し、干渉させて出力光ａと逆相出力光ａ’を発生し、
該第１ビームスプリッター（ＢＳ１）の周囲に配置され、該出力光ａと該逆相出力光ａ’との出射方向を同一方向とすると共に両者の光路長を調整する第１の光路補正手段と、
該第１の干渉計と該第１の光路補正手段の周囲に配置される第２ビームスプリッター（ＢＳ２）と２つの第２折り返し反射手段（Ｍ２１，Ｍ２２）により構成される第２の干渉計であり、第２の干渉計では、該第１ビームスプリッター（ＢＳ１）により該光波Ｂを２つの光波Ｂ１及びＢ２に分岐し、該第１及び第２ビームスプリッター（ＢＳ１，ＢＳ２）と該第２折り返し反射手段（Ｍ２１，Ｍ２２）により前記２つの光波Ｂ１及びＢ２の間に１ビット分の遅延を発生させて合波し、干渉させて出力光ｂと逆相出力光ｂ’を発生し、
該第２ビームスプリッター（ＢＳ２）の周囲に配置され、該出力光ｂと該逆相出力光ｂ’との出射方向を同一方向とすると共に両者の光路長を調整する第２の光路補正手段とを有することを特徴とする光受信器。
【請求項２】
請求項１に記載の光受信器において、該第１折り返し反射手段（Ｍ１１又はＭ１２）と該第２折り返し反射手段（Ｍ２１又はＭ２２）とが、一体化されている部分を有することを特徴とする光受信器。
【請求項３】
請求項１又は２に記載の光受信器において、略正方形の外形を有する該第１ビームスプリッター（ＢＳ１）と、略Ｌ字型の外形を有する該第１の光路補正手段と、略Ｌ字型の外形を有する該第２ビームスプリッター（ＢＳ２）とが一体化され、平面形状が略正方形となるよう構成されていることを特徴とする光受信器。
【請求項４】
請求項１乃至３のいずれかに記載の光受信器において、該分岐手段、該第１ビームスプリッター（ＢＳ１）、該第１の光路補正手段、該第２ビームスプリッター（ＢＳ２）及び該第２の光路補正手段とが一体化されていることを特徴とする光受信器。
【発明の詳細な説明】
【技術分野】
【０００１】
本発明は、光受信器に関し、特に、ＤＱＰＳＫ変調された光信号を多レベルの位相変調信号を復調する光受信器に関する。
【背景技術】
【０００２】
通信トラフィックの増大に伴い、高速・大容量化が求められる次世代長距離大容量光通信システムでは、多値変復調符号化技術の導入が検討されている。その代表的なものの一つに差動四相位相偏移変調（ＤＱＰＳＫ変調，Differential Quadrature Phase Shift keying）方式がある。この方式では、従来の２値強度変調（ＯＯＫ）方式と比べ、信号帯域が狭く、周波数利用効率の向上や伝送距離の拡大が実現できるほか、高感度化も期待できる。
【０００３】
ＤＱＰＳＫ変調された光信号を復調するには、１ビット遅延回路が不可欠である。空間光学系で構成する場合には、例えば、１つのビームスプリッターと２つの反射プリズムを用いた干渉光学系が基本となっている。
【０００４】
特許文献１や図１及び２に示すように、ビームスプリッター１に光信号を入力光（Ｓ）として入射して２つの光波（Ｓ１，Ｓ２）に分岐する。各分岐光は、反射プリズム２及び３を用いて、再度、ビームスプリッター１に戻されるが、その間に、２つの分岐光（Ｓ１及びＳ２）の間に、１ビット分の遅延を発生させ、２つの分岐光をビームスプリッター１で合波し干渉させる。干渉光の出力は、出力光１（Ｓ３）と出力光２（Ｓ４）とが発生し、２つの出力光は互いに逆相状態となっている。
【０００５】
図１に示すように、ビームスプリッター１から出力される出力光１及び２は、出射方向が垂直となっている。一方、この２つの差動出力光を受信するにはバランス型受光素子（バランス型ＰＤ）が利用されており、精度の高い検出を可能にするには、バランス型ＰＤを構成する２つの受光素子（ＰＤ）の性能を同じにすることが必要であり、受光素子を近接して配置することが好ましい。
【０００６】
図１の遅延回路では、出力光１及び２が互いに遠く離れるため、バランス型ＰＤを配置することが困難となる。これに対し、図２に示すように、２つの出力光を同じ方向に出射させることにより、２つの受光素子を近接配置することが可能となる。しかしながら、出力光１及び２を同じ方向に出力するには、さらに反射手段４を使用する必要がある。しかも、出力された出力光１及び２の間には、光路間の距離差Ｌに対応するスキューが発生する。
【０００７】
光ファイバ出力を利用した復調器デバイスの場合には、ファイバ長を調整することで距離差Ｌを解消することが可能である。しかしながら、図３に示すような、遅延干渉計である空間光学系１０と光／電気変換器（バランス型ＰＤ）１１や増幅器（ＴＩＡ）１２を一体化した受信モジュールを作製する場合には、距離差Ｌを解消するためには、例えば、図２の出力光１（Ｓ３）の光路の途中に、遅延用の空間光学系や高屈折率部品を挿入することが必要となり、構成が複雑化するという問題がある。
【０００８】
図１又は図２では、差動位相偏移変調（ＤＰＳＫ変調）方式にも使用される１つの１ビット遅延回路について説明したが、ＤＱＰＳＫ変調方式の場合には、もう１つの１ビット遅延回路が必要となり、空間光学系で構成する場合には、より複雑な構成となり、装置も大型化する。
【０００９】
空間光学系に替わり、特許文献２や図４に示すような、基板２０に光導波路２１，２２を形成した光回路（ＰＬＣ，Planar Lightwave Circuit）を採用することも行われている。ＰＬＣを用いた１ビット遅延回路では、任意の形状の導波路が形成できるため、空間光学系のような距離差が発生しない上、差動出力光を近接して出射することも容易となる。なお、図４では、光カプラー２４で２つに光波を分け、次の光カプラー２５で１ビット遅延回路用に２つの光波に分岐してＰＬＣに導入している。そして、ＰＬＣから出射する光波を光カプラー２６で合波し、差動出力光をバランス型ＰＤ２７に導出している。符号２３は、１ビット遅延回路の位相を調整するための位相調整素子である。
【００１０】
しかしながら、ＰＬＣを用いた１ビット遅延回路では、ＰＬＣ自体が有する各種の問題を併せ持つことになる。例えば、偏波や波長に依存して導波路長が変化する偏波依存性や波長依存性をＰＬＣは有している。また、光回路に光結合するにはスポット径変換が必要となり、過剰損や結合損が大きくなる。さらに温度変化によって特性が大きく変化するなどの問題を生じることになる。
【先行技術文献】
【特許文献】
【００１１】
【特許文献１】特開２００７−１５１０２６号公報
【特許文献２】特表２００４−５１６７４３号公報
【発明の概要】
【発明が解決しようとする課題】
【００１２】
本発明が解決しようとする課題は、上述したような問題を解決し、ＤＱＰＳＫ変調された光信号を多レベルの位相変調信号に復調する光受信器において、１ビット遅延回路を光信号の伝搬損失や偏波依存性等の少ない空間光学系で構成し、差動出力光の光路長差が無く、かつ同じ方向に出力可能であり、さらに当該空間光学系の大きさを小型化した光受信器を提供することである。
【課題を解決するための手段】
【００１３】
上記課題を解決するため、請求項１に係る発明は、ＤＱＰＳＫ変調された光信号を多レベルの位相変調信号に復調する光受信器において、光信号をＩ成分用とＱ成分用に対応する二つの光波Ａ及びＢに分岐する分岐手段と、１つの第１ビームスプリッター（ＢＳ１）と２つの第１折り返し反射手段（Ｍ１１，Ｍ１２）により構成される第１の干渉計であり、該第１の干渉計では、該第１ビームスプリッター（ＢＳ１）により該光波Ａを２つの光波Ａ１及びＡ２に分岐し、該第１ビームスプリッター（ＢＳ１）と該第１折り返し反射手段（Ｍ１１，Ｍ１２）により前記２つの光波Ａ１及びＡ２の間に１ビット分の遅延を発生させて合波し、干渉させて出力光ａと逆相出力光ａ’を発生し、該第１ビームスプリッター（ＢＳ１）の周囲に配置され、該出力光ａと該逆相出力光ａ’との出射方向を同一方向とすると共に両者の光路長を調整する第１の光路補正手段と、該第１の干渉計と該第１の光路補正手段の周囲に配置される第２ビームスプリッター（ＢＳ２）と２つの第２折り返し反射手段（Ｍ２１，Ｍ２２）により構成される第２の干渉計であり、第２の干渉計では、該第１ビームスプリッター（ＢＳ１）により該光波Ｂを２つの光波Ｂ１及びＢ２に分岐し、該第１及び第２ビームスプリッター（ＢＳ１，ＢＳ２）と該第２折り返し反射手段（Ｍ２１，Ｍ２２）により前記２つの光波Ｂ１及びＢ２の間に１ビット分の遅延を発生させて合波し、干渉させて出力光ｂと逆相出力光ｂ’を発生し、該第２ビームスプリッター（ＢＳ２）の周囲に配置され、該出力光ｂと該逆相出力光ｂ’との出射方向を同一方向とすると共に両者の光路長を調整する第２の光路補正手段とを有することを特徴とする。
【００１４】
請求項２に係る発明は、請求項１に記載の光受信器において、該第１折り返し反射手段（Ｍ１１又はＭ１２）と該第２折り返し反射手段（Ｍ２１又はＭ２２）とが、一体化されている部分を有することを特徴とする。
【００１５】
請求項３に係る発明は、請求項１又は２に記載の光受信器において、略正方形の外形を有する該第１ビームスプリッター（ＢＳ１）と、略Ｌ字型の外形を有する該第１の光路補正手段と、略Ｌ字型の外形を有する該第２ビームスプリッター（ＢＳ２）とが一体化され、平面形状が略正方形となるよう構成されていることを特徴とする。
【００１６】
請求項４に係る発明は、請求項１乃至３のいずれかに記載の光受信器において、該分岐手段、該第１ビームスプリッター（ＢＳ１）、該第１の光路補正手段、該第２ビームスプリッター（ＢＳ２）及び該第２の光路補正手段とが一体化されていることを特徴とする。
【発明の効果】
【００１７】
請求項１に係る発明により、ＤＱＰＳＫ変調された光信号を多レベルの位相変調信号に復調する光受信器において、光信号をＩ成分用とＱ成分用に対応する二つの光波Ａ及びＢに分岐する分岐手段と、１つの第１ビームスプリッター（ＢＳ１）と２つの第１折り返し反射手段（Ｍ１１，Ｍ１２）により構成される第１の干渉計であり、該第１の干渉計では、該第１ビームスプリッター（ＢＳ１）により該光波Ａを２つの光波Ａ１及びＡ２に分岐し、該第１ビームスプリッター（ＢＳ１）と該第１折り返し反射手段（Ｍ１１，Ｍ１２）により前記２つの光波Ａ１及びＡ２の間に１ビット分の遅延を発生させて合波し、干渉させて出力光ａと逆相出力光ａ’を発生し、該第１ビームスプリッター（ＢＳ１）の周囲に配置され、該出力光ａと該逆相出力光ａ’との出射方向を同一方向とすると共に両者の光路長を調整する第１の光路補正手段と、該第１の干渉計と該第１の光路補正手段の周囲に配置される第２ビームスプリッター（ＢＳ２）と２つの第２折り返し反射手段（Ｍ２１，Ｍ２２）により構成される第２の干渉計であり、第２の干渉計では、該第１ビームスプリッター（ＢＳ１）により該光波Ｂを２つの光波Ｂ１及びＢ２に分岐し、該第１及び第２ビームスプリッター（ＢＳ１，ＢＳ２）と該第２折り返し反射手段（Ｍ２１，Ｍ２２）により前記２つの光波Ｂ１及びＢ２の間に１ビット分の遅延を発生させて合波し、干渉させて出力光ｂと逆相出力光ｂ’を発生し、該第２ビームスプリッター（ＢＳ２）の周囲に配置され、該出力光ｂと該逆相出力光ｂ’との出射方向を同一方向とすると共に両者の光路長を調整する第２の光路補正手段とを有するため、差動出力光（ａとａ’、又はｂとｂ’）の光路長差が無く、かつ同じ方向に出力可能であり、また、第１の干渉計、第１の光路補正手段、第２の干渉計、及び第２の光路補正手段を各々の周囲に順次配置することで平面状で一体化することが可能であり、しかも第２の干渉計では、第１の干渉計を構成する第１ビームスプリッターの一部を兼用するため、空間光学系の大きさを小型化することが可能となる。
【００１８】
請求項２に係る発明により、第１折り返し反射手段（Ｍ１１又はＭ１２）と第２折り返し反射手段（Ｍ２１又はＭ２２）とが、一体化されている部分を有するため、空間光学系を小型化できると共に、第１及び第２折り返し反射手段に関する位置調整を簡素化することが可能となる。
【００１９】
請求項３に係る発明により、略正方形の外形を有する該第１ビームスプリッター（ＢＳ１）と、略Ｌ字型の外形を有する該第１の光路補正手段と、略Ｌ字型の外形を有する該第２ビームスプリッター（ＢＳ２）とが一体化され、平面形状が略正方形となるよう構成されているため、空間光学系を小型化することが可能となる。
【００２０】
請求項４に係る発明により、分岐手段、第１ビームスプリッター（ＢＳ１）、第１の光路補正手段、第２ビームスプリッター（ＢＳ２）及び第２の光路補正手段とが一体化されているため、空間光学系を小型化することが可能となる。
【図面の簡単な説明】
【００２１】
【図１】空間光学系で構成した１ビット遅延回路の例を説明する図である。
【図２】図１の１ビット遅延回路に、さらに差動出力光の出力方向を同じ方向にした場合の例を説明する図である。
【図３】遅延干渉計、バランス型ＰＤ、及び増幅器を一体化した受信モジュールを説明する図である。
【図４】光回路（ＰＬＣ）で構成される１ビット遅延回路を用いた光受信器の例を説明する図である。
【図５】本発明の光受信器に係る基本的な構成を示すブロック図である。
【図６】本発明の光受信器に係る空間光学系の一例を説明する図である。
【図７】図６の空間光学系における光路のみを抽出した図である。
【発明を実施するための形態】
【００２２】
以下、本発明の光受信器について、好適例を用いて詳細に説明する。
本発明の光受信器の１ビット遅延回路の基本的な構成を、図５に示す。
１ビット遅延回路の基本的な考え方として、まず、第１の干渉計（主として第１ビームスプリッター）の周囲に、差動出力光の出射方向を同じにし、光路長の差をゼロにする第１の光路補正手段を設ける。次に、第１の干渉計（第１の光路補正手段を含む）の周囲に第２の干渉計（主として第２ビームスプリッター）を配置する。さらに、第２の干渉計の周囲に、差動出力光の出射方向を同じにし、光路長の差をゼロにする第２の光路補正手段を設ける。
【００２３】
本発明の光受信器の特徴は、第２の干渉計において、第１の干渉計と協働して一つの干渉光学系を構成していることである。つまり、第１の干渉計に組み込まれた第１ビームスプリッターで２つに分岐した光波を、第２の干渉計を構成する第２ビームスプリッターで合波し干渉させ、差動出力光を発生させるよう構成している。
【００２４】
また、本発明の光受信器では、図５に示すように、第１の干渉計の周囲の少なくとも一部に第１の光路補正手段を配置しているが、原理的には、第２の干渉計の周囲に配置することも可能である。ただし、この場合には、差動出力光の互いの距離が離れ過ぎることが危惧されるため、差動出力光を発生させた直後に光路補正手段を配置することが、より好ましい。
【００２５】
図６に示す具体例を用いて、本発明の光受信器について、さらに詳細に説明する。
本発明は、ＤＱＰＳＫ変調された光信号を多レベルの位相変調信号に復調する光受信器において、光信号をＩ成分用とＱ成分用に対応する二つの光波Ａ及びＢに分岐する分岐手段（Ｐ１）と、１つの第１ビームスプリッター（ＢＳ１，符号３０参照）と２つの第１折り返し反射手段（Ｍ１１，Ｍ１２，符号３２，３４参照）により構成される第１の干渉計であり、該第１の干渉計では、該第１ビームスプリッター（ＢＳ１，特にハーフミラーｍ２）により該光波Ａを２つの光波Ａ１及びＡ２に分岐し、該第１ビームスプリッター（ＢＳ１）と該第１折り返し反射手段（Ｍ１１，Ｍ１２，符号３２，３４参照）により前記２つの光波Ａ１及びＡ２の間に１ビット分の遅延を発生させて合波し、干渉させて出力光ａと逆相出力光ａ’を発生し、該第１ビームスプリッター（ＢＳ１）の周囲に配置され、該出力光ａと該逆相出力光ａ’との出射方向を同一方向とすると共に両者の光路長を調整する第１の光路補正手段（Ｐ２）と、該第１の干渉計と該第１の光路補正手段の周囲に配置される第２ビームスプリッター（ＢＳ２，符号３１参照）と２つの第２折り返し反射手段（Ｍ２１，Ｍ２２，符号３３，３５参照）により構成される第２の干渉計であり、第２の干渉計では、該第１ビームスプリッター（ＢＳ１，特にハーフミラーｍ２）により該光波Ｂを２つの光波Ｂ１及びＢ２に分岐し、該第１及び第２ビームスプリッター（ＢＳ１，ＢＳ２）と該第２折り返し反射手段（Ｍ２１，Ｍ２２）により前記２つの光波Ｂ１及びＢ２の間に１ビット分の遅延を発生させて合波し、干渉させて出力光ｂと逆相出力光ｂ’を発生し、該第２ビームスプリッター（ＢＳ２）の周囲に配置され、該出力光ｂと該逆相出力光ｂ’との出射方向を同一方向とすると共に両者の光路長を調整する第２の光路補正手段（Ｐ３）とを有することを特徴とする。
【００２６】
分岐手段（Ｐ１）では、ハーフミラーｍ１で光波Ｂを発生すると共に第１の干渉計に導入している。また、全反射ミラーＭ１で光波Ａを第１の干渉計に導入している。分岐される光波Ａ及びＢは、Ｉ（In-phase）信号とＱ（Quadrature）信号に対応しているが、いずれの光波をどの信号に対応させるかは、必要に応じて選択可能である。このような分岐手段は、プリズムを加工して構成することが可能である。
【００２７】
第１及び第２の折り返し反射手段は、図６の符号３２〜３５のように、プリズムを加工して各々の折り返し反射手段を形成することが可能であるが、例えば、第１折り返し反射手段３２と第２折り返し反射手段３３とを一つのプリズムを加工して構成することも可能である。また、図６に示すように、第１及び第２の折り返し反射手段を一体化することで、２つの光学部品の位置調整を一つの操作で行うことができる。
【００２８】
第１の光路補正手段（Ｐ２）は、３つの全反射ミラー（Ｍ２〜Ｍ４）で構成される。図６に示すように、プリズムを加工して略Ｌ字状に形成し、第１の干渉計（特に、第１ビームスプリッター３０）の周囲に配置する。第１の光路補正手段は、第１ビームスプリッター３０に接して配置したり、一体化させることが可能である。また、図６のように、第１の光路補正手段の大きさを、第１ビームスプリッター３０の２辺を覆うように設定するだけでなく、３つの全反射ミラーを配置した領域の大きさとし、図５のように、第１の干渉計の一つの１角を中心に局所的に覆うよう構成することも可能である。さらに、第１の光路補正手段は、３つの全反射ミラーに限らずそれ以上の反射ミラーを使用して構成することも可能であることは言うまでもない。
【００２９】
第２の光路補正手段（Ｐ３）は、３つの全反射ミラー（Ｍ５〜Ｍ７）で構成される。基本的に、第１の光路補正手段と構成は同じであり、略Ｌ字状の形状に形成される。第２の光路補正手段は、第２ビームスプリッター３１の周囲に配置されるため、図６の分岐手段（Ｐ１）ように、第２ビームスプリッター３１の周囲に配置される他の光学部品との干渉を避けるような形状に設定される。
【００３０】
図６に示すように、本発明の光受信器では、略正方形の外形を有する該第１ビームスプリッター（ＢＳ１，符号３０）と、略Ｌ字型の外形を有する該第１の光路補正手段（Ｐ２）と、略Ｌ字型の外形を有する該第２ビームスプリッター（ＢＳ２，符号３１）とが一体化され、平面形状が略正方形となるよう構成することができる。この構成により、２つの１ビット遅延回路を１つにまとめ、小型化することが可能となる。しかも、厚み方向（図面に垂直な方向）に光波を折り曲げる必要が無く、２次元の光路で全体の光学系を構成できるため、空間光学系の厚みも薄くすることが可能となる。
【００３１】
さらに、図６に示すように、分岐手段（Ｐ１）、第１ビームスプリッター（ＢＳ１，符号３０）、第１の光路補正手段（Ｐ２）、第２ビームスプリッター（ＢＳ２，符号３１）及び第２の光路補正手段（Ｐ３）とを一体化させることも可能である。このように構成することで、空間光学系をよりコンパクトに構成することが可能となる。
【００３２】
第１の干渉計から出力される差動出力光（ａ，ａ’）と第２の干渉計から出力される差動出力光（ｂ，ｂ’）は、各々、図３又は４に示すようなバランス型受光素子に導入され、Ｉ成分信号やＱ成分信号が生成される。
【００３３】
図６に示す空間光学系の光路のみを抽出した図面が、図７である。光波Ａ及びＢの光路差に着目すると、光波Ａは、距離ｄ１の２倍と距離ｄ３の２倍、そして距離ｄ５だけ、光波Ｂより多くの距離を進んでいる。光波Ｂは、距離ｄ２の２倍と距離ｄ４、そして距離ｄ６だけ、光波Ａより多くの距離を進んでいる。
【００３４】
光波Ａと光波Ｂとの光路長を等しくするには、次式を満足する必要がある。
ｄ１×２＋ｄ３×２＋ｄ５＝ｄ２×２＋ｄ４＋ｄ６    ・・・・・（１）
ここで、第１ビームスプリッターのハーフミラーｍ２の角度が４５度であることから、ｄ１＝ｄ２が成立し、さらに、差動出力光（ａとａ’，ｂとｂ’）における互いの出力光の距離（ｄ５×２，ｄ６×２）はバランス型受光素子を構成する２つの受光素子の距離と同じであるため、ｄ５＝ｄ６と設定できる。これらの条件を上記式（１）に代入すると、以下の条件式に変形できる。
ｄ３×２＝ｄ４    ・・・・・（２）
【００３５】
上記式（２）は、例えば、反射プリズム３２と３３（又は３４と３５）の形状を調整することで、容易に達成できることが分かる
【産業上の利用可能性】
【００３６】
以上説明したように、本発明によれば、ＤＱＰＳＫ変調された光信号を多レベルの位相変調信号に復調する光受信器において、１ビット遅延回路を光信号の伝搬損失や偏波依存性等の少ない空間光学系で構成し、差動出力光の光路長差が無く、かつ同じ方向に出力可能であり、さらに当該空間光学系の大きさを小型化した光受信器を提供することが可能となる。
【符号の説明】
【００３７】
３０  第１ビームスプリッター
３１  第２ビームスプリッター
３２〜３５  反射プリズム
Ｐ１  分岐手段
Ｐ２  第１の光路補正手段
Ｐ３  第２の光路補正手段
ｍ１〜ｍ３  ハーフミラー
Ｍ１〜Ｍ７  全反射ミラー
【図１】
2013078034.tif 000003
【図２】
2013078034.tif 000004
【図３】
2013078034.tif 000005
【図４】
2013078034.tif 000006
【図５】
2013078034.tif 000007
【図６】
2013078034.tif 000008
【図７】
2013078034.tif 000009